(57)【要約】      （修正有）【課題】パソコンにテンキーマウスを右手で持ったままの状態で、右手の指の楽な動作だけで連続して数値を入力することができるテンキーマウスを提供する。【解決手段】テンキーマウス１のテンキー部４１とエンターキー５１とバックキー６１とデリートキー７１とスクロールボタン８などの全てをテンキーマウス本体の前端部寄りに設け、テンキー部４１の左側に左クリック２、スクロールボタン８の右側に右クリック３を設けて、右手の指だけで簡単に数値の入力が出来るようにし、更にテンキー部４１とエンターキー５１とバックキー６１とデリートキー７１の前後の巾を狭めて、もっと右手の指だけで簡単に楽に数値の入力が出来るようにした。【選択図】図２
0003204375.tif 000002
【実用新案登録請求の範囲】
【請求項１】
パソコンに数値を入力する事が出来るテンキーマウス本体を改良して、右手と右手
の指だけで楽に入力出来るようにする為に、左クリックの横幅を狭めてテンキー部の
左側に設け、右クリックの横幅を狭めてスクロールボタンの右側に設け、左右のクリ
ックボタンとテンキー部とエンターキーとバックキーとデリートキーとスクロールボ
タンなどの全てをテンキーマウス本体の前端部寄りに設けたことを特徴とするテンキ
ーマウス。
【請求項２】
請求項１に記載のうち、テンキー部とエンターキーとバックキーとデリートキーだ
けの前後の巾を狭めたことを特徴とする請求項１に記載のテンキーマウス。
【考案の詳細な説明】
【技術分野】
【０００１】
この考案は、パソコンに数値を入力する際に、パソコンとマウスの間を何度も往復
する手間を省くために、マウスを持った右手と右手の指だけでパソコンに数値を入力
できるようにして、パソコンに簡単に数値を入力できるようにした、テンキーマウス
に関するものである。
【背景技術】
【０００２】
パソコンの進歩で、マウスとキーボードやパソコン本体やディスプレイを互いに繋
ぐコードが無くなり、非常に使いやすくなった。しかし、マウスの働きとしてはあま
り変化がなかった。
【０００３】
しかし、マウスにテンキー部を搭載すると共に、マウスの後端よりモード切替スイ
ッチを突出させて設けて、マウスを持ったままで数値を入力するするという発明がさ
れている。
【０００４】
この発明では、従来のマウスの働きとテンキー入力の働きには切替えが必要で、そ
の切替えスイッチがマウスの後端に突出して設けられており、マウス入力とテンキー
入力のたび毎に、切替スイッチに触る必要があるので操作が面倒である。
【０００５】
そこで、これらの欠点を解消するためのマウスの考案が出願されて登録されている。
この考案では、マウスの、左クリックと右クリックのボタンの上下の幅を狭くして、
マウスの前端部に取り付け、テンキー部とエンターキーとバックキーとデリートキー
に加えて、スクロールボタン等の全てをマウス本体の前方に取り付けて、マウスを持
ったままで、左クリックや右クリックや、数値入力の場所を指定してそこに数値を入
力して確定したり、取り消したりなどの色々な作業を、パソコンのキーボードのテン
キー部とマウスの間を何度も往復する必要が無くて、マウスを持った右手と右手の指
だけでできるようにしたことを最も主要な特徴としている。
【先行技術文献】
【特許文献】
【０００６】
【特許文献１】特開2007-323444
【特許文献２】実願2014-005827
【考案の概要】
【考案が解決しようとする課題】
【０００７】
この考案が解決しようとする問題点は、従来のマウスでは各種の多くの数値を入力
する際に、右手でマウスとキーボードの間を何度も往復する必要があるので面倒であ
った点の解消と、テンキー部を搭載したマウスのマウスモードとテンキーモードの切
替えに、いちいち切替スイッチを操作しなくてはならないという煩わしさの解消であ
る。
【０００８】
パソコンに多くの数値を入力する際、マウスで入力する場所を決めてキーボードの
テンキー部で数値を入力し、エンターキーで確定してからマウスで次の入力場所をさ
がして決めて、またキーボードのテンキー部で数値を入力し、エンターキーを押すと
いう動作が必要で、この数値を入力する場所が色々な場所であったり、その数が大量
であると非常に煩わしい。
【０００９】
また、マウスを持った右手と右手の指だけでできるようにしたことを最も主要な特
徴とした考案では、なるほど、今までのテンキーマウスよりはかなり容易に連続して
数値の入力が可能になっている。現在使用されているマウスの、左クリックと右クリ
ックのボタンの前後の幅を狭くして、マウスの前端部に取り付け、テンキー部とエン
ターキーとバックキーとデリートキーに加えて、スクロールボタン等の全てをマウス
本体の前方に取り付けて、マウスを持ったままで、左クリックや右クリックや、数値
入力の場所を指定してそこに数値を入力して確定したり、取り消したりなどの色々な
作業を、パソコンのキーボードのテンキー部とマウスの間を何度も往復する必要が無
くて、マウスを持った右手と右手の指だけでできるようにしたことを最も主要な特徴
としている。
【００１０】
しかし、この考案でも使い勝手は必ずしも十分とは言いにくい。と言うのは、左ク
リックや右クリックが前端部にあるので、指でテンキー部を押して数値を入力した後
で左クリックをする時に指が少し届きにくいのである。また、テンキー部の０と、７
と８と９との間が広いのも右手の指の動作に多少の負担になっている。
【課題を解決するための手段】
【００１１】
そこでこの考案では、思い切って左クリックをテンキー部の左側に設けて、右クリ
ックはスクロールボタンの右側に設けることにした。
【００１２】
更に、テンキー部の０と、７と８と９との間が広いのも右手の指の動作に多少の負
担になっている点の解決策として、テンキー部の全ボタンの前後巾を狭め、同じく、
エンタへキーとバックキーとデリートキーの前後巾も狭めて右手の指の動作をしやす
くした。
【考案の効果】
【００１３】
この考案の、右手と右手の指だけで楽に連続して数値入力出来るテンキーマウスは
、左クリックをテンキー部の左側、右クリックをスクロールボタンの右側に設けたの
で、クリックと数値入力が右手の指で非常に簡単に操作できる。
【００１４】
また、テンキー部とエンターキーとバックキーとデリートキーの前後の幅も狭めた
ので、右手の指の動作範囲も狭くなって数値入力が右手の指で非常に簡単に操作でき
る。
【図面の簡単な説明】
【００１５】
図１はこの考案を、テンキーマウスに実施した場合の実施例１の平面図である。
(実施例１)
図２はこの考案を、テンキーマウスに実施した場合の実施例１と実施例２の両方を
実施した場合の平面図である。(実施例１)(実施例２)
【考案を実施するための最良の形態】
【００１６】
パソコンのテンキーマウスで、テンキーマウスを持ったままで連続して多くの数値
を入力する際には、右手の指の動作する範囲が狭い方が楽である。この為にこの考案
では、左クリックをテンキーマウス本体の前端部から思い切ってテンキー部の左側に
設け、右クリックをスクロールボタンの右側に設ける事て゜右手の指の前後に動作す
る範囲を狭める事にした。
【００１７】
更に、右手の指の前後動の巾を狭くする為に、テンキー部とエンターキーとバック
キーとデリートキーの前後の巾をそれぞれ狭くした。これでテンキーマウスを右手で
持ったままで何の支障も無く、右手の指の動作だけで連続して数値を入力する事が非
常に楽になった。
【実施例１】
【００１８】
図１は、この考案をテンキーマウスに実施した場合の平面図であって、図中、１は
テンキーマウス本体、２は左クリック、３は右クリック、４はテンキー部、５はエン
ターキー、６はバックキー、７はデリートキー、８はスクロールボタンをそれぞれ表
している。
【００１９】
左クリック２を、テンキー部４の左側、右クリック３をスクロールボタン８の右側
に設けた。これで左クリック２と右クリック３を押す時に、右手の指をわざわざテン
キーマウス本体１の前端部まで動かす必要が無くなり、左クリック２を押して入力位
置を決めて、そのままテンキー部４で各種の数値などを入力でき、その右側のエンター
キー５で確定できる。そこで入力位置の確定や入力する動作が非常に楽になった。
【実施例２】
【００２０】
図２は、この考案をテンキーマウスに実施した場合の平面図であって、実施例１と
実施例２の両方を施した図面である。図中、１と２と３と８は図１と同じである。４
１は前後の巾を狭めたテンキー部、５１は前後の巾を狭めたエンターキー、６１は前
後の巾を狭めたバックキー、７１は前後の巾を狭めたデリートキーをそれぞれ表す。
【００２１】
このように、右手の指の前後動の巾を狭くする為に、テンキー部４とエンターキー
５とバックキー６とデリートキー７の前後の巾をそれぞれ狭くしてあるので、右手の
指の前後に動作する範囲が狭くなったので、実施例１よりも更に右手の指の動作の巾
が狭くなったので、連続して数値入力をしやすくなった。
【産業上の利用可能性】
【００２２】
テンキーマウス本体の前方部に、パソコンに数値を入力するための全てのキーやボ
タンを取り付けてあるので、パソコンに数値を入力する際に、パソコンのキーボード
とマウスの間を何度も往復しないで、テンキーマウスを右手で持ったままで指を動か
して数値を入力するすることができる考案を改良してもっと使いやすくするために、
テンキーマウス本体の前端部に有った左クリックをテンキー部の左側に、右クリック
をスクロールボタンの右側に設けることで使いやすさを増した。更に、前後の巾を狭
めたテンキー部とエンターキーとバックキーとデリートキーを採用したことで、右手
の指の前後に動作する巾を狭めたので数値入力が速く楽になったので便利である。
【符号の説明】
【００２３】
１    テンキーマウス本体
２    左クリック
３    右クリック
４    テンキー部
４１    前後の巾を狭めたテンキー部
５    エンターキー
５１    前後の巾を狭めたエンターキー
６    バックキー
６１    前後の巾を狭めたバックキー
７    デリートキー
７１    前後の巾を狭めたデリートキー
８    スクロールボタン
【図１】
0003204375.tif 000003
【図２】
0003204375.tif 000004
【手続補正書】
【提出日】平成28年4月5日(2016.4.5)
【手続補正１】
【補正対象書類名】明細書
【補正対象項目名】００１５
【補正方法】変更
【補正の内容】
【００１５】
【図１】図１はこの考案を、テンキーマウスに実施した場合の実施例１の平面図である。（実施例１）
【図２】図２はこの考案を、テンキーマウスに実施した場合の実施例１と実施例２の両方を実施した場合の平面図である。（実施例１）（実施例２）